(57)【要約】【課題】傾斜角度の調整操作が容易で、安定性がよく、しかも、構造が簡単で低コストで製造可能な商品陳列台を提供する。【解決手段】互いに平行をなす上下複数段の棚板１の左右両側端の前後部を、下端が接床する互いに平行をなす前後１対の傾斜支柱２、２に、左右方向を向く軸３をもって枢着し、後部の傾斜支柱２の中間部に、下端が接床する補助支柱４の中間部を、後部の傾斜支柱２に対して側面視Ｘ字状をなすように、左右方向を向く軸５をもって枢着し、最上段の棚板１の側面に、補助支柱４の上端部を、前後方向に位置調節可能として連結する連結手段６を設ける。【選択図】図１
2007301121.tif 000002
【特許請求の範囲】
【請求項１】
上下複数段の棚板の左右両側端の前後部を、下端が接床するとともに、互いに平行をなす前後１対の傾斜支柱に、左右方向を向く軸をもって枢着し、かつ後部の傾斜支柱の中間部に、下端が接床する補助支柱の中間部を、前記後部の傾斜支柱に対して側面視Ｘ字状をなすように、左右方向を向く軸をもって枢着し、さらに最上段の棚板の側面に、前記補助支柱の上端部を、前後方向に位置調節可能として連結する連結手段を設けたことを特徴とする商品陳列台。
【請求項２】
連結手段が、最上段の棚板の側面に設けた前後方向を向く長孔と、この長孔に前後方向に摺動可能として装着され、かつ前記長孔の前後方向の任意の位置において、補助支柱の上端部を前記最上段の棚板の側面に締着しうる締着手段とを備えるものであることを特徴とする請求項１記載の商品陳列台。
【請求項３】
最上段の棚板の左右両側端の前部と、前部の傾斜支柱の上端部との枢着部分に上下方向の遊びを設けることにより、最上段の棚板を、水平状態から後部を中心として上向き回動可能とし、かつ連結手段を、最上段の棚板の側面に設けた前後方向を向く長孔における前後方向の複数箇所に上向き係合溝を設けたものよりなるガイド孔と、補助支柱の上端部に内向き突設され、かつ前記長孔を通って、複数の係合溝に選択的に係合しうるようにした左右方向を向く軸とを備えるものとした請求項１記載の商品陳列台。
【請求項４】
前部の傾斜支柱の上端部に内向き突設した左右方向を向く軸の上端に、最上段の棚板の前部が載置されるようにしたことを特徴とする請求項３記載の商品陳列台。
【請求項５】
前部の傾斜支柱の上端部に内向き突設した左右方向を向く軸を、上下複数段の棚板と前後１対の傾斜支柱とにより平行リンク機構を構成したと仮定したときの最上段の棚板の前部と、前部の傾斜支柱の上端部とを連結する仮想の枢軸の位置より若干下方に設け、前記軸に当接する最上段の棚板の前部下面の当接部を、前記仮想の枢軸を中心とする円弧状、または当接点を結ぶ線が前記仮想の枢軸を中心とする円弧を描く段状としたことを特徴とする請求項４記載の商品陳列台。
【請求項６】
前部の傾斜支柱の上端、および前部の傾斜支柱の上端部に内向き突設した左右方向を向く軸を、最上段の棚板の側面に設けた前後方向を向く長孔より下方に配設し、前記長孔の前部を、前記軸より前方に突出させ、かつ補助支柱の上部を、前部の傾斜支柱の外側に配設したことを特徴とする請求項５記載の商品陳列台。
【請求項７】
最上段の棚板の側端の前部における仮想の枢軸の位置に、下端部に前部の傾斜支柱の上端部に内向き突設した左右方向を向く軸に係脱しうる係合溝を有するフックの上端部を枢着したことを特徴とする請求項６記載の商品陳列台。
【請求項８】
最上段の棚板を、ほぼ水平の棚板本体の両側部下面に、下方を向くブラケットを設けたものとし、このブラケットに、前後の傾斜支柱を連係するとともに、連結手段を設けたことを特徴とする請求項１〜７のいずれかに記載の商品陳列台。
【発明の詳細な説明】
【技術分野】
【０００１】
本発明は、店舗等において、商品をひな壇状に陳列しうるようにした商品陳列台に関する。
【背景技術】
【０００２】
従来、前柱、後柱および横連結杆により平行四辺形のリンク機構からなる枠体を構成し、前柱、後柱に複数の棚板を回動可能に取り付け、後傾する後柱の上端部に伸縮可能な補助支柱を連結し、補助支柱の高さにより傾斜角度を調整するようにした陳列棚がある（例えば、特許文献１参照）。
【０００３】
また、同様に平行四辺形のリンク機構からなる枠体を構成し、この枠体に姿勢調整用の長尺桟を連結し、これを伸縮させることにより、枠体の傾斜角度を調整するようにした陳列棚もある（例えば、特許文献２参照）
【特許文献１】実開昭５２−１５２８２２号公報
【特許文献２】特開２０００−１２６００５号公報
【発明の開示】
【発明が解決しようとする課題】
【０００４】
しかし、特許文献１の陳列棚は、大きな荷重がかかる支持杆を伸縮操作することにより、傾斜角度を調整するようにしているので、伸縮操作に大きな力を必要とするとともに、補助支柱は後柱に１箇所の連結部分のみで連結されているに過ぎないため、連結部に大きな荷重がかかり、この連結部分が緩むと補助支柱が前後に動きやすく、安定性に欠けるという問題がある。
【０００５】
また、特許文献２の陳列棚は、平行四辺形のリンク機構を支持するための車台枠を必要とするため、全体の構造が大掛かりとなり、やはりコストが高くなるという問題がある。
【０００６】
これらの問題を解決するものとして、本発明者は、「互いに平行をなす上下複数段の棚板の左右両側端の前後部を、互いに平行をなす前後１対の傾斜支柱に左右方向を向く軸をもって枢着し、後部の傾斜支柱の中間部に、下端が接床する補助支柱の上端部を左右方向を向く軸をもって枢着し、補助支柱の中間部と、後部の傾斜支柱の中間部とを、長さ調整を可能とした伸縮杆により連結したことを特徴とする陳列棚」を発明し、すでに特許出願してある(特願２００４−３７４６８８)。
【０００７】
しかし、この先願の発明は、伸縮杆が比較的低い位置にあり、伸縮杆の長さを調節し難いので、この点を改良することが望まれている。
【０００８】
本発明は、従来の技術が有する上記のような問題点に鑑み、傾斜角度の調整操作が容易で、安定性がよく、しかも、構造が簡単で低コストで製造可能な商品陳列台を提供することを目的としている。
【課題を解決するための手段】
【０００９】
本発明によると、上記課題は、次のようにして解決される。
(１)上下複数段の棚板の左右両側端の前後部を、下端が接床するとともに、互いに平行をなす前後１対の傾斜支柱に、左右方向を向く軸をもって枢着し、かつ後部の傾斜支柱の中間部に、下端が接床する補助支柱の中間部を、前記後部の傾斜支柱に対して側面視Ｘ字状をなすように、左右方向を向く軸をもって枢着し、さらに最上段の棚板の側面に、前記補助支柱の上端部を、前後方向に位置調節可能として連結する連結手段を設ける。
【００１０】
(２)上記(１)項において、連結手段が、最上段の棚板の側面に設けた前後方向を向く長孔と、この長孔に前後方向に摺動可能として装着され、かつ前記長孔の前後方向の任意の位置において、補助支柱の上端部を前記最上段の棚板の側面に締着しうる締着手段とを備えるものとする。
【００１１】
(３)上記(１)項において、最上段の棚板の左右両側端の前部と、前部の傾斜支柱の上端部との枢着部分に上下方向の遊びを設けることにより、最上段の棚板を、水平状態から後部を中心として上向き回動可能とし、かつ連結手段を、最上段の棚板の側面に設けた前後方向を向く長孔における前後方向の複数箇所に上向き係合溝を設けたものよりなるガイド孔と、補助支柱の上端部に内向き突設され、かつ前記長孔を通って、複数の係合溝に選択的に係合しうるようにした左右方向を向く軸とを備えるものとする。
【００１２】
(４)上記(３)項において、前部の傾斜支柱の上端部に内向き突設した左右方向を向く軸の上端に、最上段の棚板の前部が載置されるようにする。
【００１３】
(５)上記(４)項において、前部の傾斜支柱の上端部に内向き突設した左右方向を向く軸を、上下複数段の棚板と前後１対の傾斜支柱とにより平行リンク機構を構成したと仮定したときの最上段の棚板の前部と、前部の傾斜支柱の上端部とを連結する仮想の枢軸の位置より若干下方に設け、前記軸に当接する最上段の棚板の前部下面の当接部を、前記仮想の枢軸を中心とする円弧状、または当接点を結ぶ線が前記仮想の枢軸を中心とする円弧を描く段状とする。
【００１４】
(６)上記(５)項において、前部の傾斜支柱の上端、および前部の傾斜支柱の上端部に内向き突設した左右方向を向く軸を、最上段の棚板の側面に設けた前後方向を向く長孔より下方に配設し、前記長孔の前部を、前記軸より前方に突出させ、かつ補助支柱の上部を、前部の傾斜支柱の外側に配設する。
【００１５】
(７)上記(６)項において、最上段の棚板の側端の前部における仮想の枢軸の位置に、下端部に前部の傾斜支柱の上端部に内向き突設した左右方向を向く軸に係脱しうる係合溝を有するフックの上端部を枢着する。
【００１６】
(８)上記(１)〜(７)項のいずれかにおいて、最上段の棚板を、ほぼ水平の棚板本体の両側部下面に、下方を向くブラケットを設けたものとし、このブラケットに、前後の傾斜支柱を連係するとともに、連結手段を設ける。
【発明の効果】
【００１７】
本発明によると、次のような効果を奏することができる。
(ａ)請求項１記載の発明によると、連結手段が、最上段の棚板の側面に設けられているので、操作がし易い。すなわち、傾斜角度の調整操作が容易である。また、前後１対の傾斜支柱と、その後部の傾斜支柱に、側面視Ｘ字状をなすように中間部が枢着され、かつ上端部が最上段の棚板の側面に連結された補助支柱とにより、上下複数段の棚板を支持しているので、安定性がよく、しかも、構造が簡単で低コストで製造することができる。
【００１８】
(ｂ)請求項２記載の発明によると、連結手段が、最上段の棚板の側面に設けた前後方向を向く長孔と、この長孔に前後方向に摺動可能として装着され、かつ前記長孔の前後方向の任意の位置において、補助支柱の上端部を前記最上段の棚板の側面に締着しうる締着手段とを備えるものとしてあるので、締着手段を緩めるだけで、傾斜支柱の傾斜角度を、無段階に、簡単に調節することができ、操作性がよく、しかも、構造が簡単である。
【００１９】
(ｃ)請求項３記載の発明によると、補助支柱の上端部に内向き突設した軸が、係合溝から外れて、長孔内に位置するまで、最上段の棚板の前部を上向き回動させ、次いで、上記軸が、別の所望の係合溝に係合しうる位置まで、補助支柱を後部の傾斜支柱に対して回動させた後、最上段の棚板を元の位置まで復帰回動させるだけで、両傾斜支柱の傾斜角度を簡単に変更することができる。
【００２０】
(ｄ)請求項４記載の発明によると、前部の傾斜支柱の上端部に内向き突設した左右方向を向く軸の上端に、最上段の棚板の前部が載置されるようにしてあるので、最上段の棚板を安定して支持することができるとともに、連結手段により許容される範囲内において、自由に上向き回動させることができる。
【００２１】
(ｅ)請求項５記載の発明によると、前部の傾斜支柱の上端部に内向き突設した左右方向を向く軸を、仮想の枢軸の位置において最上段の棚板の側面に枢支させなくても、それより下方に配設して、最上段の棚板を、常に水平となるように、安定して支持することができる。したがって、連結手段における長孔を、上記軸より上方において、上記軸より前方に延出させることができる。
【００２２】
(ｆ)請求項６記載の発明によると、補助支柱の上端部に内向き突設した軸を、長孔に沿って、前部の傾斜支柱の上端部に内向き突設した軸の上方を通って、前方に移動させることができ、もって、最上段の棚板の前後長が短くても、前後の傾斜支柱の回動角度を大とすることができる。
【００２３】
(ｇ)請求項７記載の発明によると、フックを前部の傾斜支柱の上端部に内向き突設した軸に係合させておくことにより、最上段の棚板が妄りに上向き回動しないようにすることができ、また、フックを上記軸から離脱させることにより、最上段の棚板を簡単に上向き回動させて、傾斜支柱の傾斜角度を調節することができる。
【００２４】
(ｈ)請求項８記載の発明によると、最上段の棚板を、ほぼ水平の棚板本体の両側部下面に、下方を向くブラケットを設けたものとし、このブラケットに、前後の傾斜支柱を連係するとともに、連結手段を設けてあるので、最上段の棚板本体に、直接特殊な加工を施す必要がなく、また、ブラケットが最上段の棚板本体の両側部を補強することができる。
【発明を実施するための最良の形態】
【００２５】
以下、本発明の実施形態を図面を参照して説明する。
図１〜図７は、本発明の第１の実施形態を示す。
図１は、本発明の第１の実施形態を最も高位の使用状態としたときの側面図、図２は、その要部の拡大図、図３は、中間の使用状態としたときの側面図、図４は、その要部の拡大図、図５は、最も低位の使用状態としたときの側面図、図６は、その要部の拡大図、図７は、図１の要部の拡大正面図である。
なお、図１における左側が前部、右側が後部である。
【００２６】
この商品陳列台は、基本的には、互いに平行をなす上下複数段(この例では、３段)の棚板(１)の左右両側端の前後部を、下端が接床する互いに平行をなす前後１対の傾斜支柱(２)(２)に、左右方向を向く軸(３)をもって枢着し(最上段の棚板(１)と前部の傾斜支柱(２)の上端部とは、以下に説明するように、正確には枢着ではない)、後部の傾斜支柱(２)の中間部に、下端が接床する補助支柱(４)の中間部を、後部の傾斜支柱(２)に対して側面視Ｘ字状をなすように、左右方向を向く軸(５)(この例では、１個の軸(３)と共通としてある)をもって枢着し、最上段の棚板(１)の側面に、補助支柱(４)の上端部を、前後方向に位置調節可能として連結する連結手段(６)を設けたものよりなっている。
【００２７】
各棚板(１)は、ほぼ水平の棚板本体(1a)と、その両側部下面に設けた下方を向くブラケット(1b)とからなり、各ブラケット(1b)に、前後の傾斜支柱(２)(２)が連係されている。
最上段の棚板(１)におけるブラケット(1b)の前後長および上下幅は、他の段の棚板(１)におけるブラケット(1b)のものより大としてあり、この最上段のブラケット(1b)には、連結手段(６)が設けられている。
【００２８】
最上段の棚板(１)を除く他のすべての段の棚板(１)におけるブラケット(1b)には、前後の傾斜支柱(２)(２)が、左右方向を向く軸(３)をもって枢着され、それらの棚板(１)と前後の傾斜支柱(２)(２)とにより、平行リンク機構が形成されているが、最上段の棚板(１)のブラケット(1b)は、その後部が後部の傾斜支柱(２)の上端部に、左右方向を向く軸(３)をもって枢着されているだけであり、その前部は、前部の傾斜支柱(２)の上端部に内向き突設した軸(３)上に載置されているだけである。
したがって、最上段の棚板(１)は、水平状態から後部の軸(３)を中心として、上向きに回動することができる。
【００２９】
前部の傾斜支柱(２)の上端部に内向き突設した軸(３)は、最上段の棚板(１)を含む複数の棚板(１)と前後１対の傾斜支柱(２)(２)とにより平行リンク機構を構成したと仮定ときの最上段の棚板(１)の前部と前部の傾斜支柱(２)の上端部とを連結する仮想の枢軸(Ｏ)の位置より若干下方に設けられ、この軸(３)上に、最上段の棚板(１)のブラケット(1b)の前部下端が当接するようになっている。
【００３０】
最上段の棚板(１)のブラケット(1b)の前部下端における軸(３)に当接する当接部(７)は、各段(7a)(7b)(7c)における軸(３)との当接点(7aO)(7bO)(7cO)を結ぶ線(Ｌ)が仮想の枢軸(Ｏ)を中心とする円弧を描く段状とし、これによって、前部の傾斜支柱(２)の上端部に内向き突設した左右方向を向く軸(３)を、仮想の枢軸(Ｏ)の位置において最上段の棚板(１)の側面に枢着しなくても、それより下方に配設して、最上段の棚板(１)を、図１、図３、および図５に示すいずれの使用状態においても、常に水平となるように、安定して支持することができるようにしてある。
また、これによって、後述する連結手段(６)における長孔(10)を、上記軸(３)より上方において、上記軸(３)より前方に延出させることができる。
なお、当接部(７)は、仮想の枢軸(Ｏ)を中心とする円弧状としてもよい。
【００３１】
最上段の棚板(１)のブラケット(1b)の前部における仮想の枢軸(Ｏ)の位置には、下端部後縁に前部の傾斜支柱(２)の上端部に内向き突設した軸(３)に係脱しうる係合溝(8a)を有するフック(８)の上端部が、ユリヤねじ(９)をもって締着されている。なお、ユリヤねじ(９)に代えて、段付きねじ等により、フック(８)の上端部をブラケット(1b)に枢着してもよい。また、フック(８)を省略して実施することも可能である。
【００３２】
このフック(８)の係合溝(8a)を、前部の傾斜支柱(２)の上端部に内向き突設した軸(３)に係合させておくことにより、最上段の棚板(１)が妄りに上向き回動しないようにすることができ、また、フックの係合溝(8a)を上記軸(３)から離脱させることにより、最上段の棚板(１)を簡単に上向き回動させて、傾斜支柱(２)の傾斜角度を調節することができる。
上述のように、当接部(７)を、各段(7a)(7b)(7c)における軸(３)との当接点(7aO)(7bO)(7cO)を結ぶ線(Ｌ)が仮想の枢軸(Ｏ)を中心とする円弧を描く段状としておくと、フック(８)の係合溝(8a)を、常に軸(３)に係脱させることができる。
【００３３】
第１の実施形態においては、連結手段(６)は、最上段の棚板(１)のブラケット(1b)に設けた前後方向を向く長孔(10)における前後方向の複数箇所(この例では３箇所)に上向き係合溝(11)を設けたものよりなるガイド孔(12)と、補助支柱(４)の上端部に内向き突設され、かつ長孔(10)を通って、複数の係合溝(11)に選択的に係合しうるようにした左右方向を向く軸(13)とを備えるものとしてある。
【００３４】
したがって、フック(８)の係合溝(8a)を軸(３)から外した状態で、補助支柱(４)の上端部に内向き突設した軸(13)が、それまで係合していたいずれかの係合溝(11)から外れて、長孔(10)内に位置するまで、最上段の棚板(１)の前部を上向き回動させ、次いで、軸(13)が、別の所望の係合溝(11)に係合しうる位置まで、補助支柱(４)を後部の傾斜支柱(２)に対して回動させた後、最上段の棚板(１)を元の水平位置まで復帰回動させるだけで、両傾斜支柱(２)(２)の傾斜角度を簡単に変更することができる。
【００３５】
すなわち、図１および図２に示すように、軸(13)を、最後部の係合溝(11)に係合させたときは、前後の傾斜支柱(２)(２)の後傾角度が最も大きい状態で(例えば７５°)、したがって、棚板(１)の上下間隔が最も大きい状態で、全棚板(１)を安定して支持することができる。
図３および図４に示すように、軸(13)を、中間の係合溝(11)に係合させたときは、前後の傾斜支柱(２)(２)の後傾角度が、図１の場合より小さい状態で(例えば６５°)、全棚板(１)を安定して支持することができる。
図５および図６に示すように、軸(13)を、最前部の係合溝(11)に係合させたときは、前後の傾斜支柱(２)(２)の後傾角度が、最も小さい状態で(例えば５５°)、全棚板(１)を安定して支持することができる。
【００３６】
この例では、前部の傾斜支柱(２)の上端、およびその上端部に内向き突設した軸(３)を、最上段の棚板(１)のブラケット(1b)に設けた長孔(10)より下方に配設し、長孔(10)の前部を、前部の傾斜支柱(２)の上端部に突設した軸(３)より前方に突出するように設け、かつ補助支柱(４)の上部を、前部の傾斜支柱(２)の外側に配設してあるので、フック(８)を上方に跳ね上げるか、または外した状態で、補助支柱(４)の上端部に内向き突設した軸(13)を、長孔(10)に沿って、前部の傾斜支柱(２)の上端部に突設した軸(３)の上方を通って、前方に移動させることができ、もって、最上段の棚板(１)の前後長が短くても、前後の傾斜支柱(２)(２)の回動角度を大とすることができる。
【００３７】
左右に対向する傾斜支柱(２)(２)の下端部同士、および左右に対向する補助支柱(４)(４)の下端部同士は、左右方向を向く横連結杆(14)(15)をもって、互いに連結されている。また、左右に対向する後部の傾斜支柱(２)の上端よりやや下方の部部同士、および左右に対向する補助支柱(４)(４)の中央よりやや下方の部分同士は、左右方向を向く横連結杆(16)(17)をもって、互いに連結されている。
【００３８】
なお、この例では、図７に示すように、左右に対向する前部の傾斜支柱(２)(２)の上端部同士と、左右に対向する補助支柱(４)(４)の上端部同士は、左右方向に長い１本の軸(３)(13)をもって互いに連結し、その他の軸(３)(５)は、短寸の２本のものを、商品陳列台の左右の両側部に互いに離間して配設しているが、これらの軸(３)(５)(13)を、左右方向に長い１本のものとするか、短寸の２本のものとするかは、自由に選択することができる。
【００３９】
図８および図９は、本発明の第２の実施形態を示す。
なお、第１の実施形態におけるのと同一の部材には、同一の符号を付して図示するに止め、それらについての詳細な説明は省略する(第３の実施形態においても同じ)。
この実施形態においては、最上段の棚板(１)のブラケット(1b)の前部に設けた垂下部(20)に、上記の架空の枢軸(Ｏ)の位置から下方に向かって、ブラケット(1b)の後部における軸(３)を中心とする円弧孔(21)を設け、この円弧孔(21)に、異形ナット(22)における拡径鍔部(22a)の片面に設けた短寸の上下方向に長い長円形または小判形の突部(22b)を、円弧孔(21)に沿って摺動自在、かつ回転不能として内方より嵌合し、かつつまみ(23a)付きのユリヤねじ(23)の雄ねじ部(23b)を、前部の傾斜支柱(２)の上端部を左右方向に貫通させて、円弧孔(21)の外側から、異形ナット(22)の雌ねじ孔(22c)に螺合して、締め付けるようにした締着手段(24)を設けてある。
【００４０】
円弧孔(21)は、連結手段(６)における長孔(10)と干渉しないように、最上段の棚板(１)のブラケット(1b)における長孔(10)より若干前方に設けられている。
【００４１】
第２の実施形態においては、つまみ(23a)を回して、ユリヤねじ(23)を緩めた後、最上段の棚板(１)を上向き回動させて、上記と同様に、簡単に傾斜支柱(２)(２)の角度調節をすることができ、その後、最上段の棚板(１)を、元の水平状態に戻した後、つまみ(23a)を回して、ユリヤねじ(23)を締め付ければ、最上段の棚板(１)は、妄りに上向き回動することはなくなり、全棚板(１)をいずれの状態においても、安定して支持することができる。
【００４２】
図１０および図１１は、本発明の第３の実施形態を示す。
この実施形態においては、最上段の棚板(１)を含む複数の棚板(１)と、前後の傾斜支柱(２)(２)とにより、完全な平行リンク機構が形成されるように、各棚板(１)と傾斜支柱(２)との交差部を、左右方向を向く軸(３)をもって枢着し、最上段の棚板(１)のブラケット(1b)における前後の軸(３)(３)間に、前後方向を向く長孔(30)と、この長孔(30)に前後方向に摺動可能として装着され、かつ長孔(30)の前後方向の任意の位置において、補助支柱(４)の上端部を最上段の棚板(１)のブラケット(1b)に締着しうる締着手段(31)とからなる連結手段(６)が設けられている。
【００４３】
締着手段(31)は、第２の実施形態における締着手段(24)と同一の構造としてある。
すなわち、締着手段(31)は、異形ナット(22)における拡径鍔部(22a)の片面に設けた短寸の前後方向に長い長円形または小判形の突部(22b)を、長孔(30)に沿って摺動自在、かつ回転不能として内方より嵌合し、かつつまみ(23a)付きのユリヤねじ(23)の雄ねじ部(23b)を、補助支柱(４)の上端部を左右方向に貫通させて、長孔(30)の外側から、異形ナット(22)の雌ねじ孔(22c)に螺合して、締め付けるようにしたものとしてある。
【００４４】
第３の実施形態においては、つまみ(23a)を回して、ユリヤねじ(23)を緩めた後、つまみ(23a)を前後方向に移動することにより、締着手段(31)全体を、長孔(30)に沿う所望の位置まで移動し、そこで、つまみ(23a)を上記と逆方向に回して、ユリヤねじ(23)を締め付けることにより、簡単に傾斜支柱(２)(２)の角度調節をすることができる。この場合は、傾斜支柱(２)(２)の角度調節を、第１および第２の実施形態におけるような段階的ではなく、無段階に行うことができるとともに、構造をより簡素化することができる。
【００４５】
以上のいずれの実施形態においても、連結手段(６)が、最上段の棚板(１)の側面に設けられているので、操作がし易く、傾斜角度の調整操作が容易である。
また、前後１対の傾斜支柱(２)(２)と、その後部の傾斜支柱(２)に、側面視Ｘ字状をなすように中間部が枢着され、かつ上端部が最上段の棚板(１)の側面に連結された補助支柱(４)とにより、上下複数段の棚板(１)を支持しているので、安定性がよく、しかも、構造が簡単で低コストで製造することができる。
【産業上の利用可能性】
【００４６】
本発明は、実施形態を商品陳列台とした関係で、名称を「商品陳列台」としたが、傾斜支柱(２)(２)および補助支柱(４)の長さを大とするだけで、「陳列棚」とすることもできる。すなわち、本発明は、商品陳列台だけでなく、陳列棚その他の類似のものに適用することができる。
【図面の簡単な説明】
【００４７】
【図１】図１は、本発明の第１の実施形態における最も高位の使用状態としたときの側面図である。
【図２】同じく、そのときの要部の拡大側面図である。
【図３】同じく、中間の使用状態としたときの側面図である。
【図４】同じく、そのときの要部の拡大側面図である。
【図５】同じく、最も低位の使用状態としたときの側面図である。
【図６】同じく、そのときの要部の拡大側面図である。
【図７】図２のVII−VII線より見た拡大正面図である。
【図８】本発明の第２の実施形態における最も高位の使用状態としたときの上部の側面図である。
【図９】同じく、要部の拡大分解斜視図である。
【図１０】本発明の第３の実施形態における最も高位の使用状態としたときの上部の側面図である。
【図１１】図１０のXI−XI線に沿う横断平面図である。
【符号の説明】
【００４８】
(１)棚板
(1a)棚板本体
(1b)ブラケット
(２)傾斜支柱
(３)軸
(４)補助支柱
(５)軸
(６)連結手段
(７)当接部
(7a)(7b)(7c)段
(7aO)(7bO)(7cO)当接点
(８)フック
(8a)係合溝
(９)ユリヤねじ
(10)長孔
(11)係合溝
(12)ガイド孔
(13)軸
(14)(15)(16)(17)横連結杆
(20)垂下部
(21)円弧孔
(22)異形ナット
(22a)拡径鍔部
(22b)突部
(22c)雌ねじ孔
(23)ユリヤねじ
(23a)つまみ
(23b)雄ねじ部
(24)締着手段
(30)長孔
(31)締着手段
【図１】
2007301121.tif 000003
【図２】
2007301121.tif 000004
【図３】
2007301121.tif 000005
【図４】
2007301121.tif 000006
【図５】
2007301121.tif 000007
【図６】
2007301121.tif 000008
【図７】
2007301121.tif 000009
【図８】
2007301121.tif 000010
【図９】
2007301121.tif 000011
【図１０】
2007301121.tif 000012
【図１１】
2007301121.tif 000013